(57)【特許請求の範囲】
【請求項１】
筐体（２）と、
前記筐体の内部に固定されて電源供給を受ける第１の電源端子台（４）と、
第２の電源端子台（６）と、
前記第１の電源端子台と前記第２の電源端子台とを接続する接続ケーブル（８）と
を備え、
前記第２の電源端子台は、外部からの電源供給に対応するための前記筐体の内部の複数の位置のいずれかに着脱可能に固定され、
前記第１の電源端子台は、前記筐体の外部から電源配線（９）並びに前記第２の電源端子台及び前記接続ケーブルを介して電源供給を受け、
前記第２の電源台を内部で固定する面（６２）を有し、当該面と対向する面が除去された筺形状のケース（６１）
を更に備え、
前記ケースは、前記第２の電源台を固定する面（６２）以外の面であって、前記電源配線（９）を通す第１の孔（６４）及び前記接続ケーブルを通す第２の孔（６５）が形成され、前記筐体内で下方に向けられた面（６３）を有する、
空気調和機の室外機（１０）。
【請求項２】
前記複数の位置は、いずれも前記第１の電源端子台（４）よりも下方にある、
請求項１記載の空気調和機の室外機（１０）。
【請求項３】
前記筐体（２）は外部から前記第２の電源端子台（６）に接続される電源配線を前記筐体の内部へと導入する開口部（２２）を更に備える、
請求項１又は請求項２記載の空気調和機の室外機（１０）。
【請求項４】
前記筐体（２）は、前記第２の電源端子台（６）が固定される位置を調節して、当該位置と前記開口部（２２）との間の距離を調節可能な位置調節部（２４）を更に備える、
請求項３記載の空気調和機の室外機（１０）。
【請求項５】
前記第２の電源台（６）において、前記外部からの電源供給を受ける側の端子たる入力端子（６Ｔｉ）と、前記接続ケーブル（８）を介して前記第１の電源端子台（４）へと電源を送る側の端子たる出力側端子（６Ｔｏ）とは、水平方向に並べて配置され、
前記第１の孔（６４）と前記第２の孔（６５）は左右に並ぶ配置で形成される、請求項１乃至請求項４のいずれか一つに記載の空気調和機の室外機（１０）。
【発明の詳細な説明】
【技術分野】
【０００１】
本発明は、空気調和機の室外機に関し、特に既設の空気調和機の室外機を更新する際に設置する空気調和機の室外機に関するものである。
【背景技術】
【０００２】
既設の空気調和機の室外機（以下、単に「室外機」とも称する）の老朽化や、空調負荷の増減に対応すべく、室外機を取替える（以下、「更新する」とも称する）ことがある。これに関連して下掲の特許文献１が開示されている。また、既存の圧縮機と新たな圧縮機とで電源端子の取付け形状が異なる場合の対応策が下掲の特許文献２に開示されている。また、室外機の設置作業の簡便化を図る技術が下掲の特許文献３に開示されている。
【先行技術文献】
【特許文献】
【０００３】
【特許文献１】特開２００３−２６９７３９号公報
【特許文献２】特開２０１０−０３８０５７号公報
【特許文献３】特開平７−１０３５１２号公報
【発明の概要】
【発明が解決しようとする課題】
【０００４】
既設の空気調和機の室外機と、新たに取付けられる空気調和機の室外機とでは、外部からの電源供給を受ける電源端子台の位置が必ずしも一致しない。そのため、既設の電源配線が届かない場合がある。その場合には、既設の室外機だけでなく、既設の電源配線をも同時に更新する必要があり、更新作業が長時間に及ぶことがある。
【０００５】
本発明は、上記課題に鑑み、既設の電源配線を流用して更新作業が可能な空気調和機の室外機を提供することを目的とする。
【課題を解決するための手段】
【０００６】
上記課題を解決すべく、本発明に係る空気調和機の室外機の第１の態様は、筐体（２）と、前記筐体の内部に固定されて電源供給を受ける第１の電源端子台（４）と、第２の電源端子台（６）と、前記第１の電源端子台と前記第２の電源端子台とを接続する接続ケーブル（８）とを備え、前記第２の電源端子台は、外部からの電源供給に対応するための前記筐体の内部の複数の位置のいずれかに着脱可能に固定され、前記第１の電源端子台は、前記筐体の外部から電源配線（９）並びに前記第２の電源端子台及び前記接続ケーブルを介して電源供給を受け、前記第２の電源台を内部で固定する面（６２）を有し、当該面と対向する面が除去された筺形状のケース（６１）を更に備える。そして前記ケースは、前記第２の電源台を固定する面（６２）以外の面であって、前記電源配線（９）を通す第１の孔（６４）及び前記接続ケーブルを通す第２の孔（６５）が形成され、前記筐体内で下方に向けられた面（６３）を有する、空気調和機の室外機（１０）である。
【０００７】
本発明に係る空気調和機の室外機の第２の態様は、その第１の態様であって、前記複数の位置は、いずれも前記第１の電源端子台（４）よりも下方にある。
【０００８】
本発明に係る空気調和機の室外機の第３の態様は、その第１又は第２の態様であって、前記筐体（２）は外部から前記第２の電源端子台（６）に接続される電源配線を前記筐体の内部へと導入する開口部（２２）を更に備える。
【０００９】
本発明に係る空気調和機の室外機の第４の態様は、その第３の態様であって、前記筐体（２）は、前記第２の電源端子台（６）が固定される位置を調節して、当該位置と前記開口部（２２）との間の距離を調節可能な位置調節部（２４）を更に備える。
本発明に係る空気調和機の室外機の第５の態様は、その第１乃至第４の態様のいずれかであって、前記第２の電源台（６）において、前記外部からの電源供給を受ける側の端子たる入力端子（６Ｔｉ）と、前記接続ケーブル（８）を介して前記第１の電源端子台（４）へと電源を送る側の端子たる出力側端子（６Ｔｏ）とは、水平方向に並べて配置され、前記第１の孔（６４）と前記第２の孔（６５）は左右に並ぶ配置で形成される。
【発明の効果】
【００１０】
既存の空気調和機の室外機を新たな空気調和機の室外機に更新する場合には、既存の電源配線を流用するが、電源端子台の設置位置が既存のものと新たなものとで異なる場合には、既存の電源配線が届かないことがある。本発明に係る空気調和機の室外機の第１の態様によれば、既存の電源配線からの電源供給に対応可能な複数の位置のいずれかに第２の電源端子台を着脱可能に固定できるので、既存の電源配線を流用でき、もって更新作業に要する時間を短縮できる。また上方からの水滴に対して防水性を高めることができる。
【００１１】
既存の電源配線はその配設の便宜から、空気調和機の室外機が設置される地面に沿って配設されることが多い。本発明に係る空気調和機の室外機の第２の態様によれば、第２の電源端子台が固定される位置は、第１の電源端子台が固定される位置よりも下方、すなわち地面に近いので、地面に沿って配設されていた既存の電源配線を接続するのに好適である。
【００１２】
本発明に係る空気調和機の室外機の第３の態様によれば、既存の電源配線を開口部を介して筐体の内部へと導き、さらに当該電源配線を第１の電源端子台若しくは第２の電源端子台に接続することができる。これにより当該電源配線の室外機側の一部分を筐体内に収納することができ、天候等によって劣化する電源配線の部位を抑制できる。
【００１３】
本発明に係る空気調和機の室外機の第４の態様によれば、第２の電源端子台に電源配線が接続される場合には、第２の電源端子台が固定される位置を開口部から遠ざけて調節することにより、空気調和機の外部に延びる電源配線における弛みを回避又は抑制できる。
本発明に係る空気調和機の室外機の第５の態様によれば、上方からの水滴に対して防水性を高めつつ、更新作業効率を高めることができる。
【図面の簡単な説明】
【００１４】
【図１】本発明の実施形態に係る空気調和機の室外機の斜視図である。
【図２】第２の電源端子台の斜視図である。
【図３】第２の電源端子台の変形例を示す斜視図である。
【図４】第２の電源端子台を固定する固定部材を例示する斜視図である。
【図５】第２の電源端子台と固定部材とを組合せた一の態様の斜視図である。
【図６】第２の電源端子台と固定部材とを組合せた他の態様の斜視図である。
【発明を実施するための形態】
【００１５】
以下、本発明の好適な実施形態について、図面を参照しながら説明する。なお、図１を初めとする以下の図には、本発明に関係する要素のみを示す。
【００１６】
図１に示すように、本発明の実施形態に係る室外機１０は、筐体２と、第１の電源端子台４と、第２の電源端子台６と、接続ケーブル８とを備え、熱媒配管及び制御用電線によって空気調和機の室内機と相互に接続されている（熱媒配管、制御用電線及び室内機はいずれも図示省略）。
【００１７】
筐体２は、打抜き屈曲加工等された金属板又はこのような金属板２１と成型樹脂板２３との組合せ等により構成されており、全体形状は略筺形状に形成されている。そして、筐体２はその内部に、熱媒を圧縮する圧縮機３及び制御ユニット５等が収容されている。また、筐体２は、外部からの電源供給を受けるための既存の電源配線９を筐体２内へと導入する開口部２２を備えている。ただし室外機１０の内部を図示するため、筐体２のうち開口部２２が設けられた面は省略しており、単に開口部２２の位置のみを破線で示した。電源配線９を開口部２２を介して筐体２の内部へと案内することにより、電源配線９の室外機１０側の一部分を筐体２内に収納することができ、天候等によって劣化する電源配線９の部位を抑制できる。
【００１８】
第１の電源端子台４は、筐体２の内部に固定されて電源供給を受ける。具体例を挙げれば、第１の電源端子台４は、制御ユニット５が有する制御基板７に固定される。ここで、制御基板７は室外機１０の下部が浸水したとき等に備えて筐体２内の上部に固定される。つまり、第１の電源端子台４も筐体２内の上部に固定される。
【００１９】
第２の電源端子台６は、筐体２の内部の複数の位置のいずれか、特に第１の電源端子台４よりも下方に固定され、筐体２の外部から電源供給を受けることが可能となっている。筐体２は、第２の電源端子台６が固定される位置を調節して、当該位置と開口部２２との間の距離を調節可能な位置調節部２４を備えている。具体的には、位置調節部２４としては、筐体２を形成する金属板２１の複数箇所に設けられたネジ穴を採用できる。
【００２０】
第２の電源端子台６は、図２に示すように、直方体を形成する６面のうちの第１面が除去された筺形状のケース６１の内部で、当該第１面と対向する第２面６２に固定されている。そして、ケース６１が筐体２を形成する金属板の複数の位置のいずれかに着脱可能に固定される。図１では、ケース６１を着脱可能に固定する複数の箇所の例示として、ケース６１を直方体で示し、符号Ａ〜Ｆを付している。また便宜的に、符号Ａ〜Ｆそれぞれの位置に応じてケース６１Ａ〜６１Ｆとしている。電源端子台６は図１で例示されている複数のケース６１Ａ〜６１Ｆの位置から択一的に配置される。ケース６１Ａ〜６１Ｄはいずれも金属板２１に設けられたネジ穴に固定されている。あるいは、金属板２１の辺縁に沿って摺動するレール機構（図示省略）を設け、当該辺縁上の任意の位置でケース６１を固定できるようにしても良い。
【００２１】
接続ケーブル８は、第１の電源端子台４と第２の電源端子台６とを接続する。具体的には、接続ケーブル８は、第１の電源端子台４と、第２の電源端子台６の出力側端子６Ｔｏとを接続する。図１では、第１の電源端子台４とケース６１Ａとを接続する接続ケーブル８を太い実線で示し、残余のケース６１Ｂ〜６１Ｆに接続される接続ケーブル８を太い破線で示している。
【００２２】
既存の電源配線９はその配設の便宜から、室外機１０が設置される地面に沿って配設されることが多い。第２の電源端子台６が固定される位置が第１の電源端子台４が固定される位置よりも下方、すなわち地面に近いので、地面に沿って配設されていた既存の電源配線９を接続するのに好適である。
【００２３】
ケース６１が呈する５面（直方体を形成する６面から第１面を除去した５つの面）のうち、第２面６２以外のいずれかの１面（便宜的に「第３面」と称する）６３には第１の孔６４が形成されている。電源配線９（図１参照）を第１の孔６４に通すことによって、更新作業の効率化を図ることができる。また、第３面６３には第２の孔６５が形成されている。接続ケーブル８を第２の孔６５に通すことによって、更新作業の効率化を図ることができる。さらにまた、第３面６３を下方に向けた状態にしたケース６１を筐体２内に固定することにより、上方からの水滴に対して防水性を高めることができる。
【００２４】
なお、第１及び第２の孔６４，６５は、一体化しても良いし、第２面６２と対向する側（第１面側）に開口する切欠としても良い。また、図２では、第２の電源端子台６の入力側端子６Ｔｉ（外部からの電源供給を受ける側の端子）と出力側端子６Ｔｏ（接続ケーブル８を介して第１の電源端子台４へと電源を送る側の端子）とが鉛直方向に並んだ配置となっているが、これらを水平方向に並べた配置としても良い。例えば、図３に示すように、第２面６２を正面に見たときの第３面６３の左側に第１の孔６４を設け、その右側に第２の孔６５を設け、入力側端子６Ｔｉ及び出力側端子６Ｔｏがそれぞれ左右に並ぶ配置で第２面６２に固定しても良い。こうすることにより、上方からの水滴に対して防水性を高めつつ、更新作業効率を高めることができる。
【００２５】
第２の電源端子台６を筐体２の底面近傍に固定する場合、つまり図１に示すケース６１Ｅの位置に固定する場合には、ケース６１の第３面６３の下方に接続ケーブル８及び電源配線９を通す必要があるため、図４に示す取付部材６６を採用する。取付部材６６は略逆Ｕ字形状を呈する。具体的には、鉛直方向に延在する一対の脚部６７Ａ，６７Ｂと、脚部６７Ａ，６７Ｂの一方側の端部同士を架橋する架橋部６８とを呈する。脚部６７Ａ，６７Ｂは、ケース６１の第３面６３を下方にしたときの高さよりも長い。そして、架橋部６８は、ケース６１の第３面を下方にしたときの水平方向の長さに略等しい。
【００２６】
図５に示すように、架橋部６８がケース６１の第３面６３と対向する側の第４面６９の外側を、脚部６７Ａ，６７Ｂが残余の面たる第５及び第６面７０Ａ，７０Ｂの外側をそれぞれ保持する。脚部６７Ａ，６７Ｂの端部を筐体２の底面側の金属板に固定することにより、接続ケーブル８及び電源配線９を通すスペースを確保しつつケース６１を筐体２の底面近傍に固定できる。
【００２７】
第２の電源端子台６を制御ユニット５の下部に吊り下げて固定する場合、つまり図１に示すケース６１Ｆの位置に固定する場合には、取付部材６６を図６に示すように取付る。つまり、架橋部６８が第３面６３の外側を、脚部６７Ｂ，６７Ａが第５及び第６面７０Ａ，７０Ｂの外側をそれぞれ保持する。脚部６７Ｂ，６７Ａの端部を制御ユニット５の下部に固定することにより、ケース６１を制御ユニット５の下部に吊り下げて固定できる。
【符号の説明】
【００２８】
２  筐体
４  第１の電源端子台
６  第２の電源端子台
８  接続ケーブル
１０  室外機
２２  開口部
２４  位置調節部
【図１】
0005387610.tif 000002
【図２】
0005387610.tif 000003
【図３】
0005387610.tif 000004
【図４】
0005387610.tif 000005
【図５】
0005387610.tif 000006
【図６】
0005387610.tif 000007